(57)【要約】【課題】効率良くメッセージを配信することができるとともに、メッセージ配信による効果を高めることができるメッセージ表示システムを提供する。【解決手段】メッセージに対して当該メッセージの配信対象となる属性情報を対応付けて記憶する情報処理装置４０１に記憶されているメッセージの取得が携帯端末で宣言された場合、携帯端末は、携帯端末が有している会員情報記憶手段１５４に記録されている会員情報を取得し、取得した会員情報に基づいて情報処理装置４０１を検索し、当該会員情報が属する属性情報に対応付けられたメッセージを取得し、取得したメッセージを携帯端末に表示する。【選択図】        図９
2009205493.tif 000002
【特許請求の範囲】
【請求項１】
メッセージに対して当該メッセージの配信対象となる属性情報を対応付けて記憶するメッセージ記憶手段を備える情報処理装置と、
前記メッセージ記憶手段に記憶されている前記メッセージの取得を宣言するメッセージ取得宣言手段と、会員情報が記録されている会員情報記憶手段と、前記メッセージ取得宣言手段により前記メッセージの取得が宣言された場合、前記会員情報記憶手段に記録されている前記会員情報を取得する取得手段と、前記取得手段により取得した前記会員情報に基づいて前記メッセージ記憶手段を検索し、当該会員情報が属する前記属性情報に対応付けられた前記メッセージを取得するメッセージ取得手段と、前記広告メッセージ取得手段により取得したメッセージを表示するメッセージ表示手段と、を備える携帯端末と、
を備えることを特徴とするメッセージ表示システム。
【請求項２】
前記メッセージ記憶手段に記憶する前記メッセージを作成するメッセージ作成手段と、
前記会員情報を記憶する会員情報記憶手段と、
前記メッセージ作成手段により作成した前記メッセージの配信対象者の条件に従い前記会員情報記憶手段に記憶されている前記会員情報を検索して、条件に当てはまる前記会員情報の前記属性情報に前記メッセージを対応付けるグループ作成手段と、
を備えることを特徴とする請求項１記載のメッセージ表示システム。
【請求項３】
前記メッセージ記憶手段は、前記メッセージを配信対象となる前記属性情報に対応付けるとともに、ＵＲＬ（Uniform Resource Locator）を前記メッセージに対応付けて記憶し、
前記メッセージ取得手段は、前記取得手段により取得した前記会員情報に基づいて前記メッセージ記憶部を検索し、当該会員情報が属する前記属性情報に対応付けられた前記メッセージおよび前記ＵＲＬを取得し、
前記メッセージ表示手段は、前記広告メッセージ取得手段により取得した前記メッセージを表示するとともに、表示された当該メッセージに前記ＵＲＬを関連付ける、
ことを特徴とする請求項２記載のメッセージ表示システム。
【請求項４】
表示された前記メッセージを選択操作する操作手段と、
前記操作手段により選択操作された前記メッセージに関連付けられた前記ＵＲＬに応じたＷＥＢサイトにアクセスするアクセス手段と、
前記アクセス手段によりアクセスした前記ＷＥＢサイトのＷＥＢページを表示するＷＥＢ表示手段と、
を備えることを特徴とする請求項３記載のメッセージ表示システム。
【請求項５】
表示された前記メッセージを選択操作する操作手段と、
前記操作手段により前記メッセージが選択操作された場合、前記取得手段により取得した前記会員情報に基づいて前記会員情報記憶手段に記憶されている前記会員情報を検索する検索手段と、
前記検索手段により検索された前記会員情報にかかる情報を表示する表示手段と、
を備えることを特徴とする請求項２記載のメッセージ表示システム。
【請求項６】
メッセージに対して当該メッセージの配信対象となる属性情報を対応付けて記憶するメッセージ記憶手段に記憶されている前記メッセージの取得を宣言するメッセージ取得宣言手段と、
会員情報が記録されている会員情報記憶手段と、
前記メッセージ取得宣言手段により前記メッセージの取得が宣言された場合、前記会員情報記憶手段に記録されている前記会員情報を取得する取得手段と、
前記取得手段により取得した前記会員情報に基づいて前記メッセージ記憶手段を検索し、当該会員情報が属する前記属性情報に対応付けられた前記メッセージを取得するメッセージ取得手段と、
前記広告メッセージ取得手段により取得したメッセージを表示するメッセージ表示手段と、
を備えることを特徴とする携帯端末。
【請求項７】
メッセージに対して当該メッセージの配信対象となる属性情報を対応付けて記憶するメッセージ記憶手段に記憶されている前記メッセージの取得を宣言するメッセージ取得宣言機能と、
前記メッセージ取得宣言機能により前記メッセージの取得を宣言された場合、会員情報記憶手段に記憶されている会員情報を取得する取得機能と、
前記取得機能により取得した前記会員情報に基づいて前記メッセージ記憶手段を検索し、当該会員情報が属する前記属性情報に対応付けられた前記メッセージを取得するメッセージ取得機能と、
前記広告メッセージ取得手段により取得したメッセージを表示するメッセージ表示機能と、
をコンピュータに実行させることを特徴とするプログラム。
【請求項８】
メッセージに対して当該メッセージの配信対象となる属性情報を対応付けて記憶するメッセージ記憶手段に記憶されている前記メッセージの取得を宣言するメッセージ取得宣言機能と、
前記メッセージ取得宣言機能により前記メッセージの取得を宣言された場合、会員情報記憶手段に記憶されている会員情報を取得する取得機能と、
前記取得機能により取得した前記会員情報に基づいて前記メッセージ記憶手段を検索し、当該会員情報が属する前記属性情報に対応付けられた前記メッセージを取得するメッセージ取得機能と、
前記広告メッセージ取得手段により取得したメッセージを表示するメッセージ表示機能と、
をコンピュータに実行させるプログラムを格納したＩＣチップを備える、
ことを特徴とする携帯型デバイス。
【発明の詳細な説明】
【技術分野】
【０００１】
本発明は、メッセージ表示システム、携帯端末、プログラムおよび携帯型デバイスに関する。
【背景技術】
【０００２】
携帯電話に広告情報を送信することで、ユーザに広告提供を行なう技術は、既に知られている。
【０００３】
従来の携帯電話を用いた広告提供システムは、予め広告情報を情報管理サーバのデータベースに登録させておき、複数の基地局の通信を中継する交換局が、広告情報を基地局経由で携帯電話に送信して、携帯電話のディスプレイに表示させることで情報提供を行なうというものである（例えば、特許文献１参照）。
【０００４】
【特許文献１】特開２０００−２２４６５８号公報
【発明の開示】
【発明が解決しようとする課題】
【０００５】
しかしながら、広告により集客効果を高めるためには、広告を必要とする人に対してタイミング良く広告情報を提供することが重要であるが、従来のシステムでは、広告情報を受け取る側の受信者が必要とするジャンルの広告であるか否かに関係なく広告情報を受信するために、せっかく広告情報の送信を行なっても集客効果があまり期待できない、という問題がある。
【０００６】
本発明は、上記に鑑みてなされたものであって、効率良くメッセージを配信することができるとともに、メッセージ配信による効果を高めることができるメッセージ表示システム、携帯端末、プログラムおよび携帯型デバイスを提供することを目的とする。
【課題を解決するための手段】
【０００７】
上述した課題を解決し、目的を達成するために、請求項１にかかる発明のメッセージ表示システムは、メッセージに対して当該メッセージの配信対象となる属性情報を対応付けて記憶するメッセージ記憶手段を備える情報処理装置と、前記メッセージ記憶手段に記憶されている前記メッセージの取得を宣言するメッセージ取得宣言手段と、会員情報が記録されている会員情報記憶手段と、前記メッセージ取得宣言手段により前記メッセージの取得が宣言された場合、前記会員情報記憶手段に記録されている前記会員情報を取得する取得手段と、前記取得手段により取得した前記会員情報に基づいて前記メッセージ記憶手段を検索し、当該会員情報が属する前記属性情報に対応付けられた前記メッセージを取得するメッセージ取得手段と、前記広告メッセージ取得手段により取得したメッセージを表示するメッセージ表示手段と、を備える携帯端末と、を備えることを特徴とする。
【０００８】
また、請求項２にかかる発明は、請求項１記載のメッセージ表示システムにおいて、前記メッセージ記憶手段に記憶する前記メッセージを作成するメッセージ作成手段と、前記会員情報を記憶する会員情報記憶手段と、前記メッセージ作成手段により作成した前記メッセージの配信対象者の条件に従い前記会員情報記憶手段に記憶されている前記会員情報を検索して、条件に当てはまる前記会員情報の前記属性情報に前記メッセージを対応付けるグループ作成手段と、を備えることを特徴とする。
【０００９】
また、請求項３にかかる発明は、請求項２記載のメッセージ表示システムにおいて、前記メッセージ記憶手段は、前記メッセージを配信対象となる前記属性情報に対応付けるとともに、ＵＲＬ（Uniform Resource Locator）を前記メッセージに対応付けて記憶し、前記メッセージ取得手段は、前記取得手段により取得した前記会員情報に基づいて前記メッセージ記憶部を検索し、当該会員情報が属する前記属性情報に対応付けられた前記メッセージおよび前記ＵＲＬを取得し、前記メッセージ表示手段は、前記広告メッセージ取得手段により取得した前記メッセージを表示するとともに、表示された当該メッセージに前記ＵＲＬを関連付ける、ことを特徴とする。
【００１０】
また、請求項４にかかる発明は、請求項３記載のメッセージ表示システムにおいて、表示された前記メッセージを選択操作する操作手段と、前記操作手段により選択操作された前記メッセージに関連付けられた前記ＵＲＬに応じたＷＥＢサイトにアクセスするアクセス手段と、前記アクセス手段によりアクセスした前記ＷＥＢサイトのＷＥＢページを表示するＷＥＢ表示手段と、を備えることを特徴とする。
【００１１】
また、請求項５にかかる発明は、請求項２記載のメッセージ表示システムにおいて、表示された前記メッセージを選択操作する操作手段と、前記操作手段により前記メッセージが選択操作された場合、前記取得手段により取得した前記会員情報に基づいて前記会員情報記憶手段に記憶されている前記会員情報を検索する検索手段と、前記検索手段により検索された前記会員情報にかかる情報を表示する表示手段と、を備えることを特徴とする。
【００１２】
また、請求項６にかかる発明の携帯端末は、メッセージに対して当該メッセージの配信対象となる属性情報を対応付けて記憶するメッセージ記憶手段に記憶されている前記メッセージの取得を宣言するメッセージ取得宣言手段と、会員情報が記録されている会員情報記憶手段と、前記メッセージ取得宣言手段により前記メッセージの取得が宣言された場合、前記会員情報記憶手段に記録されている前記会員情報を取得する取得手段と、前記取得手段により取得した前記会員情報に基づいて前記メッセージ記憶手段を検索し、当該会員情報が属する前記属性情報に対応付けられた前記メッセージを取得するメッセージ取得手段と、前記広告メッセージ取得手段により取得したメッセージを表示するメッセージ表示手段と、を備えることを特徴とする。
【００１３】
また、請求項７にかかる発明のプログラムは、メッセージに対して当該メッセージの配信対象となる属性情報を対応付けて記憶するメッセージ記憶手段に記憶されている前記メッセージの取得を宣言するメッセージ取得宣言機能と、前記メッセージ取得宣言機能により前記メッセージの取得を宣言された場合、会員情報記憶手段に記憶されている会員情報を取得する取得機能と、前記取得機能により取得した前記会員情報に基づいて前記メッセージ記憶手段を検索し、当該会員情報が属する前記属性情報に対応付けられた前記メッセージを取得するメッセージ取得機能と、前記広告メッセージ取得手段により取得したメッセージを表示するメッセージ表示機能と、をコンピュータに実行させることを特徴とする。
【００１４】
また、請求項８にかかる発明の携帯型デバイスは、メッセージに対して当該メッセージの配信対象となる属性情報を対応付けて記憶するメッセージ記憶手段に記憶されている前記メッセージの取得を宣言するメッセージ取得宣言機能と、前記メッセージ取得宣言機能により前記メッセージの取得を宣言された場合、会員情報記憶手段に記憶されている会員情報を取得する取得機能と、前記取得機能により取得した前記会員情報に基づいて前記メッセージ記憶手段を検索し、当該会員情報が属する前記属性情報に対応付けられた前記メッセージを取得するメッセージ取得機能と、前記広告メッセージ取得手段により取得したメッセージを表示するメッセージ表示機能と、をコンピュータに実行させるプログラムを格納したＩＣチップを備える、ことを特徴とする。
【発明の効果】
【００１５】
本発明によれば、メッセージに対して当該メッセージの配信対象となる属性情報を対応付けて記憶する情報処理装置のメッセージ記憶手段に記憶されているメッセージの取得が携帯端末で宣言された場合、携帯端末は、携帯端末が有している会員情報記憶手段に記録されている会員情報を取得し、取得した会員情報に基づいてメッセージ記憶手段を検索し、当該会員情報が属する属性情報に対応付けられたメッセージを取得し、取得したメッセージを携帯端末に表示する。これにより、携帯端末に記憶されている会員情報が属する属性情報に対応付けられたメッセージのみを携帯端末に表示することができる、すなわち、メッセージを受け取る側の受信者が必要とするメッセージのみを受信することができるようになるため、効率良くメッセージを携帯端末に配信することができるとともに、メッセージ配信による効果を高めることができる、という効果を奏する。
【発明を実施するための最良の形態】
【００１６】
以下に添付図面を参照して、この発明にかかるメッセージ表示システム、携帯端末、プログラムおよび携帯型デバイスの最良な実施の形態を詳細に説明する。
【００１７】
［第１の実施の形態］
本発明の第１の実施の形態を図１ないし図１３に基づいて説明する。
【００１８】
（システム概要）
図１は、第１の実施の形態にかかるシステムの概要を示す説明図である。図１に示すように、携帯端末である携帯電話端末１００には、携帯電話用の周波数帯（例えば、８００ＭＨｚ帯や１．５ＧＨｚ帯）を使用して携帯電話基地局２００を介して通信を行うことにより携帯電話としての役割を果たす機能と、近接非接触通信の周波数帯（例えば、１３．５６ＭＨｚ帯）を使用するサービスシステムである商品販売システム３００においてプリペイドカードとしての役割を果たす機能が備えられている。
【００１９】
また、本実施の形態の携帯電話端末１００は、携帯電話基地局２００を介したインターネット通信により、広告配信システム４００や、ＨＴＭＬ文書や画像などの情報を蓄積するＷＥＢサーバ５００に接続可能である。
【００２０】
すなわち、携帯電話端末１００のユーザは、１台の携帯電話端末１００を所持することで、携帯電話端末１００の機能を用いて、インターネット通信や通話を行うことができ、加えて、プリペイドカードとしての機能を用いて商店などでの買い物を行うことができる。
【００２１】
（広告配信システムの説明）
広告配信システム４００は、情報処理装置である広告メッセージデータベースサーバ（以下、広告メッセージＤＢサーバという）４０１と、会員データベースサーバ（以下、会員ＤＢサーバという）４０２と、管理用パーソナルコンピュータ（以下、管理用ＰＣという）４０３と、を備えている。
【００２２】
広告メッセージＤＢサーバ４０１、会員ＤＢサーバ４０２および管理用ＰＣ４０３は、一般的なパーソナルコンピュータである。図２は、一般的なパーソナルコンピュータのモジュール構成図である。一般的なパーソナルコンピュータは、情報処理を行うＣＰＵ（Central Processing Unit）１００１、ＢＩＯＳなどを記憶した読出し専用メモリであるＲＯＭ（Read Only Memory）１００２、各種データを書換え可能に記憶するＲＡＭ（Random Access Memory）１００３、各種データベースとして機能するとともに各種のプログラムを記憶する記憶部であるＨＤＤ（Hard Disk Drive）１００４、記憶媒体１０１０を用いて情報を保管したり外部に情報を配布したり外部から情報を入手するためのＣＤ−ＲＯＭドライブ等の媒体読取装置１００５、ネットワークを介して外部の他のコンピュータなどと通信により情報を伝達するための通信制御装置１００６、処理経過や結果等を操作者に表示するＣＲＴ（Cathode Ray Tube）やＬＣＤ（Liquid Crystal Display）等の表示部１００７、並びに操作者がＣＰＵ１００１に命令や情報等を入力するためのキーボードやマウス等のポインティングデバイスである入力部１００８等から構成されており、これらの各部間で送受信されるデータをバスコントローラ１００９が調停して動作する。
【００２３】
このようなパーソナルコンピュータでは、オペレータが電源を投入するとＣＰＵ１００１がＲＯＭ１００２内のローダーというプログラムを起動させ、ＨＤＤ１００４よりＯＳ（Operating System）というコンピュータのハードウェアとソフトウェアとを管理するプログラムをＲＡＭ１００３に読み込み、このＯＳを起動させる。このようなＯＳは、オペレータの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００２４】
ここで、広告メッセージＤＢサーバ４０１、会員ＤＢサーバ４０２は、アプリケーションプログラムとして、広告メッセージ管理プログラムをＨＤＤ１００４に記憶している。また、会員ＤＢサーバ４０２は、アプリケーションプログラムとして、会員管理プログラムをＨＤＤ１００４に記憶している。さらに、管理用ＰＣ４０３は、アプリケーションプログラムとして、管理プログラムをＨＤＤ１０４に記憶している。
【００２５】
また、一般的には、パーソナルコンピュータのＨＤＤ１００４にインストールされるアプリケーションプログラムは、ＣＤ−ＲＯＭやＤＶＤなどの各種の光ディスク、各種光磁気ディスク、フレキシブルディスクなどの各種磁気ディスク、半導体メモリ等の各種方式のメディア等の記憶媒体１０１０に記録され、この記憶媒体１０１０に記録された動作プログラムがＨＤＤ１０４にインストールされる。このため、ＣＤ−ＲＯＭ等の光情報記録メディアやＦＤ等の磁気メディア等の可搬性を有する記憶媒体１０１０も、アプリケーションプログラムを記憶する記憶媒体となり得る。さらには、アプリケーションプログラムは、例えば通信制御装置１００６を介して外部から取り込まれ、ＨＤＤ１００４にインストールされても良い。
【００２６】
広告メッセージＤＢサーバ４０１は、ＯＳ上で動作する広告メッセージ管理プログラムが起動すると、この広告メッセージ管理プログラムに従い、ＣＰＵ１００１が各種の演算処理を実行して各部を集中的に制御する。また、会員ＤＢサーバ４０２は、ＯＳ上で動作する会員管理プログラムが起動すると、この会員管理プログラムに従い、ＣＰＵ１００１が各種の演算処理を実行して各部を集中的に制御する。さらに、管理用ＰＣ４０３は、ＯＳ上で動作する管理プログラムが起動すると、この管理プログラムに従い、ＣＰＵ１００１が各種の演算処理を実行して各部を集中的に制御する。広告メッセージＤＢサーバ４０１、会員ＤＢサーバ４０２および管理用ＰＣ４０３のＣＰＵ１００１が実行する各種の演算処理のうち、本実施の形態の特長的な処理について以下に説明する。
【００２７】
広告メッセージＤＢサーバ４０１は、配信対象グループに対応付けて広告メッセージをＨＤＤ１００４に記憶する。ここに、広告メッセージＤＢサーバ４０１のＨＤＤ１００４は、メッセージ記憶手段が実現されている。また、広告メッセージＤＢサーバ４０１は、広告メッセージに対応付けてリンク先（ＷＥＢサイト）のＵＲＬをＨＤＤ１００４に記憶する。図３は、広告メッセージＤＢサーバ４０１に記憶されている広告メッセージの一例を示す模式図である。図３に示すように、広告メッセージには、配信対象および配布対象ＵＲＬなどが対応付けられている。
【００２８】
また、広告メッセージＤＢサーバ４０１は、広告メッセージを配信する対象者をグループ化してＨＤＤ１００４に記憶する。ここに、グループ作成手段が実現されている。例えば、男性／女性、年代毎、地域、購買状況などである。図４は、広告メッセージＤＢサーバ４０１に記憶されているグループの一例を示す模式図である。図４に示すように、グループは、広告メッセージ対象者の条件ごとに、広告メッセージ対象者に当てはまる会員の会員番号を対応付けたものである。
【００２９】
会員ＤＢサーバ４０２は、会員情報をＨＤＤ１００４に記憶する。ここに、会員情報記憶手段が実現されている。図５は、会員ＤＢサーバ４０２に記憶されている会員情報の一例を示す模式図である。会員情報としては、会員番号、氏名、性別、年齢、住所、嗜好、ポイント値、ポイント履歴などがある。
【００３０】
管理用ＰＣ４０３は、広告メッセージＤＢサーバ４０１に記憶する広告メッセージやグループを作成する。
【００３１】
ここで、広告メッセージおよびグループの作成について図６を参照して説明する。図６に示すように、ユーザは、管理用ＰＣ４０３を用いて広告メッセージ（例えば、「今週金曜日はなんと２割引！」など）を作成し、作成した広告メッセージを配信対象およびＵＲＬ（Uniform Resource Locator）などとともに広告メッセージＤＢサーバ４０１に記憶する（ステップＳ１：メッセージ作成手段）。
【００３２】
また、ユーザは、管理用ＰＣ４０３を用いてグループ作成のための広告メッセージ対象者の条件を入力し（ステップＳ２）、会員ＤＢサーバ４０２に記憶されている会員情報を検索する（ステップＳ３）。
【００３３】
ユーザは、管理用ＰＣ４０３を用いて、会員ＤＢサーバ４０２の検索結果（条件に当てはまる会員の会員番号）を受け取ると（ステップＳ４）、検索結果（条件に当てはまる会員の会員番号）をグループ化して広告メッセージＤＢサーバ４０１に記憶する（ステップＳ５）。
【００３４】
（携帯電話端末の説明）
まず、携帯電話端末１００について説明する。図７は、携帯電話端末１００の概略構成を示す正面図である。図７に示すように、携帯電話端末１００は、非接触通信機能を有する携帯型の端末である。また、携帯電話端末１００は、電話用のロッドアンテナ１０２とは別に、非接触通信用アンテナ１０３を端末内部に備えている。非接触通信用アンテナ１０３は、２から３ターンの銅線コイルなどで形成されている。そして、ＩＣチップ１５１に設けられた非接触通信端子が非接触通信用アンテナ１０３の端部Ａ１、Ａ２に直接的または間接的な形で接続するように構成されている。
【００３５】
非接触通信用アンテナ１０３は、図７に示すように携帯電話端末１００の筐体１０１の内部周囲に配線しても良いし、ＩＣチップ１５１の周囲に配線しても良い。当該非接触通信用アンテナ１０３により、携帯電話の通常の無線通信とは異なる帯域１３．５６ＭＨｚによる近接非接触通信を行う。
【００３６】
本実施の形態の携帯電話端末１００は、この非接触通信により、各種認証装置との間で精算処理を行うものである。なお、図７に示したような携帯電話端末１００の構成は一例であって、本発明を実現できる構成であれば、これに限定されるものではない。
【００３７】
なお、ロッドアンテナ１０２は、無線電話に用いるアンテナであって、通常の携帯電話が備えるものなので、ＩＣチップ１５１の非接触通信には使用されない。
【００３８】
携帯電話端末１００の筐体１０１の片面には、カラー液晶ディスプレイなどにより種々の情報を表示する表示部１０４が設けられている。表示部１０４と同一平面には、キーパッドや動作選択ボタン等が配列された入力部１０５が備えられていて、電源のオン−オフ、表示選択や動作決定、あるいは文字入力等が可能となっている。これらは、通常の携帯電話の機能と同様のものである。なお、特に図示しないが、当然のことながら、携帯電話端末１００にはマイクやスピーカなどの携帯電話に必要な様々な要素が備わっている。
【００３９】
ここで、図８は携帯電話端末１００の機能構成を示すブロック図である。図８に示すように、携帯電話端末１００には、無線モジュールとして機能するＩＣチップ１５１と、近接非接触通信で実行されるアプリケーションが格納されるアプリケーション部１５２と、携帯電話機能を発揮する携帯電話モジュール１６０と、表示部１０４と、入力部１０５と、非接触通信用アンテナ１０３とが備えられている。携帯電話モジュール１６０には、各種のデータを記憶するメモリ１６１が備えられている。
【００４０】
携帯電話端末１００に内蔵されるＩＣチップ１５１には、アプリケーション部１５２の実行を制御するアプリケーションコントローラ部１５３と、アプリケーション部１５２に格納されるアプリケーションを実行する際に用いる各種データを格納するデータ記憶部１５４が備えられている。ＩＣチップ１５１のデータ記憶部１５４には、会員情報である会員番号１５４ａが記憶されている。ここに、会員情報記憶手段が実現されている。
【００４１】
本実施の形態においては、ＩＣチップ１５１のアプリケーション部１５２に格納されるアプリケーションとして、携帯電話端末１００をプリペイドカードとして使用するためのアプリケーションと、広告配信システム４００から広告メッセージを受け取るためのアプリケーションと、携帯電話基地局２００を介したインターネット通信により配信される携帯ＨＴＭＬ（Hyper Text Markup Langage）によって記述されるＷＥＢページを閲覧するための一般的なＷＥＢブラウザであるアプリケーションとが格納されている。なお、ＩＣチップ１５１内にアプリケーション部１５２を備えるように構成してもよい。
【００４２】
ＩＣチップ１５１のアプリケーションコントローラ部１５３は、アプリケーション部１５２に格納されるアプリケーションを実行する機能を備えている。例えば、非接触通信用アンテナ１０３を介して商品販売システム３００が発信する近接非接触通信用の電波を受信すると、アプリケーションコントローラ部１５３は、アプリケーション部１５２に格納されている携帯電話端末１００をプリペイドカードとして使用するためのアプリケーションを実行する。また、携帯電話端末１００の起動後に所定のタイミングで、アプリケーションコントローラ部１５３は、アプリケーション部１５２に格納されている広告配信システム４００から広告メッセージを受け取るためのアプリケーションを実行する。所定のタイミングとは、例えば、「ポイント数の確認」のタイミングなどである。ここに、メッセージの取得を宣言するメッセージ取得宣言手段が実現されている。さらに、インターネットの閲覧が指示されると、アプリケーションコントローラ部１５３は、アプリケーション部１５２に格納されているＷＥＢブラウザであるアプリケーションを実行する。
【００４３】
（広告メッセージの取得）
次に、上述のようにしてアプリケーション部１５２に格納されている広告配信システム４００から広告メッセージを受け取るためのアプリケーションが実行された場合について説明する。
【００４４】
図９は、広告メッセージ取得の流れを示すシーケンス図である。図９に示すように、広告配信システム４００から広告メッセージを受け取るためのアプリケーションが起動すると、アプリケーションコントローラ部１５３は、ＩＣチップ１５１内のデータ記憶部１５４から会員番号１５４ａを読み出す（ステップＳ１１）。会員番号１５４ａを取得すると（ステップＳ１２：取得手段）、アプリケーションコントローラ部１５３は、取得した会員番号１５４ａを広告メッセージＤＢサーバ４０１に送信する（ステップＳ１３）。
【００４５】
広告メッセージＤＢサーバ４０１は、会員番号１５４ａの会員が属するグループの広告メッセージ、ＵＲＬを検索する（ステップＳ１４）。
【００４６】
その後、アプリケーションコントローラ部１５３は、会員番号１５４ａの会員が属するグループの広告メッセージ、ＵＲＬの検索結果を取得し（ステップＳ１５：メッセージ取得手段）、広告メッセージ、ＵＲＬをメモリ１６１に記録するとともに（ステップＳ１６）、メモリ１６１に記録した広告メッセージ、ＵＲＬを表示部１０４に表示する（ステップＳ１７：メッセージ表示手段）。
【００４７】
図１０は、表示例を示す正面図である。図１０に示す例では、「ポイント数の確認」を行っている画面状態で、携帯電話端末１００を所持する会員の属性に合った「今週金曜日はなんと２割引！」という広告メッセージＭが表示部１０４に表示されている。また、表示された広告メッセージＭには、広告メッセージと同時に取得したＵＲＬが関連付けられている。
【００４８】
（ＷＥＢサイトからの情報の取得）
次に、ＷＥＢサイトからの情報の取得について説明する。本実施の形態においては、携帯電話端末１００の表示部１０４に表示された広告メッセージＭを、入力部１０５によって選択操作することにより、広告メッセージＭに関連付けられたＵＲＬに応じたＷＥＢサイトを表示部１０４に表示することができる。
【００４９】
ここで、図１１はＷＥＢサイトからの情報の取得の流れを示すシーケンス図である。図１１に示すように、携帯電話端末１００の表示部１０４に表示された広告メッセージＭが入力部１０５によって選択操作されると（操作手段）、インターネットの閲覧が指示されたものとして、アプリケーションコントローラ部１５３は、アプリケーション部１５２に格納されているＷＥＢブラウザであるアプリケーションを起動する。ＷＥＢブラウザであるアプリケーションが起動すると、アプリケーションコントローラ部１５３は、広告メッセージＭに対応付けられたＵＲＬに対応する自社やスポンサー企業のＷＥＢサーバ５００のＷＥＢサイト（ＷＥＢページ）にアクセスし（ステップＳ２１：アクセス手段）、携帯電話端末１００の表示部１０４にＷＥＢページを表示する（ステップＳ２２：ＷＥＢ表示手段）。ここで、図１２に示すようなＷＥＢページＰ１が携帯電話端末１００の表示部１０４に表示されたものとする。図１２に示すＷＥＢページＰ１は、クーポンをダウンロードさせるためのページである。ＷＥＢページＰ１におけるクーポンリンクＬが入力部１０５によって選択操作されると、アプリケーションコントローラ部１５３は、クーポンリンクＬに対応付けられたＵＲＬに対応するＷＥＢサーバ５００のＷＥＢサイト（ＷＥＢページ）にアクセスし（ステップＳ２３）、携帯電話端末１００の表示部１０４にＷＥＢページを表示する（ステップＳ２４）。図１３は、携帯電話端末１００の表示部１０４に表示されるＷＥＢページＰ２の一例である。ＷＥＢページＰ２は、ＷＥＢページＰ１におけるクーポンリンクＬに対応するクーポンである。このようなＷＥＢページＰ２またはそのＵＲＬは、携帯電話モジュール１６０のメモリ１６１、またはＩＣチップ１５１のデータ記憶部１５４に記憶される（ステップＳ２５）。ＷＥＢページＰ２またはそのＵＲＬをＩＣチップ１５１のデータ記憶部１５４に記録した場合には、携帯電話端末１００を商品販売システム３００にかざすことで商品販売システム３００が発信する近接非接触通信用の電波を受信すると、アプリケーションコントローラ部１５３は、ＷＥＢページＰ２またはそのＵＲＬを読み出して携帯電話端末１００の表示部１０４に表示する（ステップＳ２６）。また、ＷＥＢページＰ２またはそのＵＲＬを携帯電話モジュール１６０のメモリ１６１に記録した場合には、アプリケーションコントローラ部１５３は、所定の入力部１０５による選択に従い、ＩＣチップ１５１のデータ記憶部１５４に記憶されたＷＥＢページＰ２またはそのＵＲＬを読み出して携帯電話端末１００の表示部１０４に表示する（ステップＳ２６）。
【００５０】
このように本実施の形態によれば、広告メッセージに対して当該広告メッセージの配信対象となるグループを対応付けて記憶する広告メッセージＤＢサーバ４０１のＨＤＤ１００４に記憶されている広告メッセージの取得が携帯電話端末１００で宣言された場合、携帯電話端末１００は、携帯電話端末１００が有しているＩＣチップ１５１内のデータ記憶部１５４に記録されている会員情報を取得し、取得した会員情報に基づいて広告メッセージＤＢサーバ４０１のＨＤＤ１００４を検索し、当該会員情報が属するグループに対応付けられた広告メッセージを取得し、取得した広告メッセージを携帯電話端末１００に表示する。これにより、携帯電話端末１００に記憶されている会員情報が属するグループに対応付けられた広告メッセージのみを携帯電話端末１００に表示することができる、すなわち、広告メッセージを受け取る側の受信者が必要とする広告メッセージのみを受信することができるようになるため、効率良く広告メッセージを携帯電話端末１００に配信することができるとともに、広告メッセージ配信による効果を高めることができる。
【００５１】
［第２の実施の形態］
次に、本発明の第２の実施の形態を図１４ないし図１９に基づいて説明する。なお、前述した第２の実施の形態と同じ部分は同じ符号で示し説明も省略する。
【００５２】
第１の実施の形態においては、自社やスポンサー企業のＷＥＢサーバ５００のＷＥＢサイト（ＷＥＢページ）にアクセスし、クーポンをダウンロードするようにした。本実施の形態は、ＷＥＢサイトに接続せずに、ポイント減算・クーポン取得を行なうようにしたものである。
【００５３】
本実施の形態においては、アプリケーション部１５２に格納されるアプリケーションとして、携帯電話端末１００をプリペイドカードとして使用するためのアプリケーションと、広告配信システム４００から広告メッセージを受け取るためのアプリケーションと、携帯電話基地局２００を介したインターネット通信により配信される携帯ＨＴＭＬによって記述されるＷＥＢページを閲覧するための一般的なＷＥＢブラウザであるアプリケーションとに加え、ポイント交換を行なうためのアプリケーションが格納されている。
【００５４】
また、本実施の形態においては、会員ＤＢサーバ４０２は、会員情報の他に、ポイント交換クーポン情報を記憶する。図１４は、会員ＤＢサーバ４０２に記憶されているポイント交換クーポン情報の一例を示す模式図である。ポイント交換クーポン情報としては、ポイント毎に、交換可能クーポンが対応付けられている。
【００５５】
ここで、図１５は会員ＤＢサーバ４０２からの情報の取得の流れを示すシーケンス図である。図１５に示すように、携帯電話端末１００の表示部１０４に表示された広告メッセージＭが入力部１０５によって選択操作されると（操作手段）、アプリケーションコントローラ部１５３は、アプリケーション部１５２に格納されているポイント交換を行なうためのアプリケーションを起動する。ポイント交換を行なうためのアプリケーションが起動すると、アプリケーションコントローラ部１５３は、携帯電話端末１００の表示部１０４に図１６に示すような「ポイント交換数の指定画面」を表示する。入力部１０５によって「交換ポイント数」が選択操作されると、アプリケーションコントローラ部１５３は、会員ＤＢサーバ４０２に対して「交換ポイント数」を通知して交換可能クーポンを検索させる（ステップＳ３１：検索手段）。その後、アプリケーションコントローラ部１５３は、会員ＤＢサーバ４０２から「交換可能クーポンの一覧」を取得すると、携帯電話端末１００の表示部１０４に図１７に示すような「交換可能クーポンの一覧画面」を表示する（ステップＳ３２：表示手段）。入力部１０５によって「交換するクーポン」が選択操作されると、アプリケーションコントローラ部１５３は、会員ＤＢサーバ４０２に対して「交換するクーポン」を通知するとともに「交換するクーポン」に応じたポイント減算の依頼をする（ステップＳ３３）。その後、アプリケーションコントローラ部１５３は、会員ＤＢサーバ４０２から「クーポン情報」および「ポイント減算結果」を取得すると（ステップＳ３４）、携帯電話端末１００の表示部１０４に「クーポン画面」を表示する（ステップＳ３５）。図１８は、携帯電話端末１００の表示部１０４に表示されるクーポン画面の一例である。クーポン画面は、図１７の「交換可能クーポンの一覧画面」で選択された「交換するクーポン」に対応するクーポンである。なお、図１０に示すように「ポイント数の確認」の画面でクーポン交換前のポイント数が“９８０ポイント”であった場合、図１８に示すクーポンは“１００ポイント”であることから、「ポイント減算結果」に基づいて図１９に示すクーポン交換後の「ポイント数の確認」の画面ではポイント数が“８８０ポイント”になる。
【００５６】
このような「クーポン画面」は、携帯電話モジュール１６０のメモリ１６１、またはＩＣチップ１５１のデータ記憶部１５４に記憶される（ステップＳ３５）。「クーポン画面」をＩＣチップ１５１のデータ記憶部１５４に記録した場合には、携帯電話端末１００を商品販売システム３００にかざすことで商品販売システム３００が発信する近接非接触通信用の電波を受信すると、アプリケーションコントローラ部１５３は、「クーポン画面」を読み出して携帯電話端末１００の表示部１０４に表示する（ステップＳ３６）。また、「クーポン画面」を携帯電話モジュール１６０のメモリ１６１に記録した場合には、アプリケーションコントローラ部１５３は、所定の入力部１０５による選択に従い、ＩＣチップ１５１のデータ記憶部１５４に記憶された「クーポン画面」を読み出して携帯電話端末１００の表示部１０４に表示する（ステップＳ３６）。
【００５７】
（変形例）
なお、上述した各実施の形態においては、ＩＣチップ１５１を内蔵した携帯電話端末の例について説明した。これに対し、携帯電話端末が、ＩＣチップを備えた着脱可能なＳＩＭ（Subscriber Identity Module）を装着して上記と同様の機能を実現するように構成してもよい。
【００５８】
図２０は、携帯電話端末１００の概略構成の変形例を示す正面図である。図２０に示すように、携帯電話端末１００は、接触、非接触通信機能を有する小型の携帯型デバイス（ＩＣカード）であるＳＩＭ（Subscriber Identity Module）１５０を着脱可能に装着することができる。そして、ＳＩＭ１５０の装着時においては、ＳＩＭ１５０のＩＣチップ１５１に設けられた非接触通信端子が非接触通信用アンテナ１０３の端部Ａ１，Ａ２に直接的または間接的な形で接続するように構成されている。
【００５９】
非接触通信用アンテナ１０３は、図２０に示すように携帯電話端末１００の筐体１０１の内部周囲に配線したり、ＳＩＭ１５０の装着部周囲に配線したりすることができる。非接触通信用アンテナ１０３の端部Ａ１，Ａ２は、ＳＩＭ１５０の非接触通信端子に接続して用いることができる。ＳＩＭ１５０の非接触通信端子は、例えば、ＳＩＭ１５０の接触端子板のＲＦＵ端子であるＣ４，Ｃ８端子である。
【００６０】
ここで、図２１は携帯電話端末１００の機能構成の変形例を示すブロック図である。図２１に示すように、携帯電話端末１００には、無線モジュールとして機能するＳＩＭ１５０と、携帯電話機能を発揮する携帯電話モジュール１６０と、表示部１０４と、入力部１０５と、非接触通信用アンテナ１０３とが備えられている。携帯電話モジュール１６０には、各種のデータを記憶するメモリ１６１が備えられている。
【００６１】
携帯電話端末１００に内蔵されるＳＩＭ１５０のＩＣチップ１５１には、近接非接触通信で実行されるアプリケーションが格納されるアプリケーション部１５２と、アプリケーション部１５２の実行を制御するアプリケーションコントローラ部１５３と、アプリケーション部１５２に格納されるアプリケーションを実行する際に用いる各種データを格納するデータ記憶部１５４が備えられている。ＳＩＭ１５０のデータ記憶部１５４には、会員情報である会員番号１５４ａが記憶されている。
【図面の簡単な説明】
【００６２】
【図１】第１の実施の形態にかかるシステムの概要を示す説明図である。
【図２】パーソナルコンピュータのモジュール構成図である。
【図３】広告メッセージの一例を示す模式図である。
【図４】グループの一例を示す模式図である。
【図５】会員情報の一例を示す模式図である。
【図６】広告メッセージおよびグループの作成の流れを示すシーケンス図である。
【図７】携帯電話端末の概略構成を示す正面図である。
【図８】携帯電話端末の機能構成を示すブロック図である。
【図９】広告メッセージ取得の流れを示すシーケンス図である。
【図１０】表示例を示す正面図である。
【図１１】ＷＥＢサイトからの情報の取得の流れを示すシーケンス図である。
【図１２】ＷＥＢページの一例を示す正面図である。
【図１３】ＷＥＢページの一例を示す正面図である。
【図１４】本発明の第２の実施の形態にかかるポイント交換クーポン情報の一例を示す模式図である。
【図１５】会員ＤＢサーバからの情報の取得の流れを示すシーケンス図である。
【図１６】表示例を示す正面図である。
【図１７】表示例を示す正面図である。
【図１８】クーポン画面の一例を示す正面図である。
【図１９】クーポン交換後の表示例を示す正面図である。
【図２０】携帯電話端末の概略構成の変形例を示す正面図である。
【図２１】携帯電話端末の機能構成の変形例を示すブロック図である。
【符号の説明】
【００６３】
１００    携帯端末
１５１    ＩＣチップ
１５０    携帯型デバイス
４０１    情報処理装置
【図１】
2009205493.tif 000003
【図２】
2009205493.tif 000004
【図３】
2009205493.tif 000005
【図４】
2009205493.tif 000006
【図５】
2009205493.tif 000007
【図６】
2009205493.tif 000008
【図７】
2009205493.tif 000009
【図８】
2009205493.tif 000010
【図９】
2009205493.tif 000011
【図１０】
2009205493.tif 000012
【図１１】
2009205493.tif 000013
【図１２】
2009205493.tif 000014
【図１３】
2009205493.tif 000015
【図１４】
2009205493.tif 000016
【図１５】
2009205493.tif 000017
【図１６】
2009205493.tif 000018
【図１７】
2009205493.tif 000019
【図１８】
2009205493.tif 000020
【図１９】
2009205493.tif 000021
【図２０】
2009205493.tif 000022
【図２１】
2009205493.tif 000023